(57)【要約】【課題】信号線が、表示部の切換操作によって切断したり、切換操作を妨げたりすることなく、第１の筐体の厚さを薄くしてコンパクトで表示部の縦横切換操作が容易な携帯機器を提供する。【解決手段】内部に第１基板２５を有する液晶表示部２（表示部）が設けられた第１の筐体３と、内部に第２基板２６を有する第２の筐体５と、該第１の筐体３と第２の筐体５とを折畳み開閉自在に連結するヒンジ部６とを設ける。液晶表示部２を第１の筐体３にカム機構１０（支持機構）を介して、縦長状態と横長状態とに切換操作可能に支持する。第１基板２５と第２基板２６とを伝導性のある導体を絶縁体で覆った複数の細い電線で構成された信号線３０で接続する。第１基板２５側の切換操作中に動く可動部３０ａで信号線３０を構成する複数の細い電線を２つに分けて束ねる。【選択図】図４
2008131293.tif 000002
【特許請求の範囲】
【請求項１】
内部に第１基板を有する表示部が設けられた第１の筐体と、内部に第２基板を有する第２の筐体と、該第１の筐体と第２の筐体とを折畳み開閉自在に連結するヒンジ部とを備え、
上記表示部は、第１の筐体に支持機構を介して、縦長状態と横長状態とに切換操作可能に支持された携帯機器であって、
上記第１基板と第２基板とは、伝導性のある導体を絶縁体で覆った複数の細い電線で構成された信号線で接続されており、
上記信号線は、上記切換操作中に動く第１基板側の可動部で上記複数の細い電線が２つに分かれてそれぞれ束ねられている
ことを特徴とする携帯機器。
【請求項２】
請求項１に記載の携帯機器において、
上記支持機構は、第１の筐体に設けられ左右方向に延びる中凸状に湾曲した曲線状の左右方向ガイド溝と、第１の筐体に設けられ上下方向に延びる上下方向ガイド溝と、表示部の背面に設けられ上記左右方向ガイド溝にスライド自在に係合する第１ガイドピンと、表示部の背面に設けられ上記上下方向ガイド溝にスライド自在に係合する第２ガイドピンとを備え、
上記第１の筐体は、上記ヒンジ部の一部を構成する金属製の第１の筐体本体と、該第１の筐体本体に固定され、上記左右方向ガイド溝と上下方向ガイド溝とが形成された板金製のガイドプレートと、該第１の筐体本体及びガイドプレートを覆う背面カバーとを備え、
上記第１の筐体本体の背面側には、上記信号線が収容される信号線配線用凹溝が上記ヒンジ部側へ伸びるように形成され、
上記信号線の可動部よりも上記第２基板側の中間部は、上記信号線配線用凹溝に収納されている
ことを特徴とする携帯機器。
【請求項３】
請求項２に記載の携帯機器において、
上記信号線のうち、２本に束ねられた部分は、それぞれ絶縁テープによって覆われている
ことを特徴とする携帯機器。
【請求項４】
請求項３に記載の携帯機器において、
上記信号線のうち、２本に束ねられた一方は、他方に比べて全長が長くなっている
ことを特徴とする携帯機器。
【請求項５】
請求項２乃至４のいずれか１つに記載の携帯機器において、
上記信号線の中間部の外周が、複数の導線をメッシュ状に編んだグランド線で覆われている
ことを特徴とする携帯機器。
【請求項６】
請求項５に記載の携帯機器において、
上記グランド線を構成する各導線は、樹脂製の糸を銅箔で覆ったものよりなる
ことを特徴とする携帯機器。
【請求項７】
請求項５又は６に記載の携帯機器において、
上記ヒンジ部の軸方向中心には、貫通孔が設けられ、
上記グランド線で覆われた部分は、上記貫通孔内を通過している
ことを特徴とする携帯機器。
【請求項８】
請求項５乃至７のいずれか１つに記載の携帯機器において、
上記グランド線の一端は、上記第２基板に接地され、他端は、先端がまとめてかしめられ、導電性のある布状テープで上記信号線に貼付られている
ことを特徴とする携帯機器。
【請求項９】
請求項８に記載の携帯機器において、
上記信号線配線用凹溝と上記上下方向ガイド溝の周縁との間には、上方が開口された信号線配線用開口が形成されている
ことを特徴とする携帯機器。
【請求項１０】
請求項９に記載の携帯機器において、
上記背面カバーの上記信号線配線用開口に対応する領域には、導電性のある導電性シートが導電性のある導電性両面テープによって該背面カバーに貼り付けられ、
上記背面カバーで上記第１の筐体本体を覆ったときに、上記信号線の布状テープが上記導電性両面テープを介して上記導電性シートに接着固定され、
上記導電性シートは、上記信号線配線用開口を跨いで上記ガイドプレートに接地されている
ことを特徴とする携帯機器。
【請求項１１】
請求項１０に記載の携帯機器において、
上記導電性シートの背面カバー側には、導電性シートをガイドプレートに押し付けるためのスポンジが貼り付けられている
ことを特徴とする携帯機器。
【請求項１２】
請求項１０又は１１に記載の携帯機器において、
上記導電性両面テープは、導電化した繊維の両面に導電性感圧型粘着材が塗布されたものよりなる
ことを特徴とする携帯機器。
【請求項１３】
請求項１乃至１２のいずれか１つに記載の携帯機器において、
携帯通信機器である
ことを特徴とする携帯機器。
【請求項１４】
請求項１３に記載の携帯機器において、
上記携帯通信機器は、携帯電話機である
ことを特徴とする携帯機器。
【発明の詳細な説明】
【技術分野】
【０００１】
本発明は、表示部が第１の筐体に支持機構を介して、縦長状態と横長状態とに切換操作可能に支持された携帯機器に関し、特にその表示部と第２の筐体とを電気的に接続する信号線の配線に関するものである。
【背景技術】
【０００２】
近年、携帯電話機は、通話機能だけでなく、電子メールの送受信機能、デジタルカメラ機能、録音再生機能、テレビ受信機能、スケジュール管理機能など多数の機能を備えるようになっている。
【０００３】
一方、携帯電話機の主な機能は依然として通話機能であり、また、その携帯性のために小型化、軽量化が商品性の面で重要となっている。また、使い勝手の面を重視して、携帯電話機は、横幅を抑えた縦長形状となっている。
【０００４】
上記携帯電話機の表示部が縦長状態で固定されていると、横長の画像を表示する場合には、縦長の画面に入るように縮小表示するか又は横スクロール操作により画像全体を見るようにしなければならなかった。
【０００５】
また、縦長状態の表示部に横長の画像を９０度回転させて、その画像を見ることも考えられるが、表示部と操作部とが、第１の筐体と第２の筐体とが開いた状態で現出する折畳み式携帯通信機器では、操作部も９０度回転した状態となるので、操作キーに表された表示も９０度回転した状態で見ることになり、また、普段とは異なる操作キーの配置であるため、入力操作が極めて困難になるという問題があった。
【０００６】
そこで、この問題を解決するために、例えば、特許文献１の折畳み式携帯電話では、表面に液晶表示部が設けられた第１の筐体と、表面に操作部を有する第２の筐体と、これら第１の筐体と第２の筐体とを折畳み開閉自在に連結するヒンジ部とを備え、上記液晶表示部は、上記第１の筐体に支持機構を介して、縦長状態と横長状態とに切換操作可能に支持されており、上記支持機構は、上記液晶表示部の切換操作時に該液晶表示部の下端側コーナー部が上記ヒンジ部に沿って移動するように上記液晶表示部の縦長状態と横長状態との切換を案内支持するように構成されている。
【０００７】
この折畳み式携帯電話機では、液晶表示部の基板と操作部の基板とを電気的に結ぶ信号線は、その両端部を除く部分で複数の細い電線が２本に束ねられ、この２本に束ねられた部分は、それぞれ絶縁テープによって覆われている。このことで、組付性を向上させると共に、切換操作時に動く可動部が擦れて切断したり、動きが悪くなったりするのを防いでいる。
【０００８】
なお、特許文献２に示すように、第１基板を有する第１の筐体と、第２基板を有する第２の筐体とを備えた通信機器において、これら第１基板と第２基板とは、伝導性のある導体を絶縁体で覆った複数の細い電線で構成された信号線で接続されており、信号線は、その両端部を除く中間部で上記複数の細い電線が１本に束ねられ、該束ねられた状態で、その外周が、複数の導線をメッシュ状に編んだグランド線で覆われ、このグランド線の各端部は、第１基板と第２基板とにそれぞれ接続されたものが知られている。
【特許文献１】特開２００６−２１１５７６公報
【特許文献２】特開２００６−２２２７３５号公報
【発明の開示】
【発明が解決しようとする課題】
【０００９】
しかしながら、上記特許文献１の携帯機器では、信号線の全体を２本に分割しているため、第１の筐体内の中間部で２本が重なる部分があり、その部分の高さが高くなって第１の筐体を薄くできないという問題があった。
【００１０】
本発明は、かかる点に鑑みてなされたものであり、その目的とするところは、信号線が、表示部の切換操作によって切断されたり、切換操作を妨げたりするのを防ぎながら、第１の筐体の厚さの薄いコンパクトで表示部の縦横切換操作が容易な携帯機器を提供することにある。
【課題を解決するための手段】
【００１１】
上記の目的を達成するために、この発明では、信号線のうち、表示部の縦横切換時に動く可動部のみを２本に束ねるようにした。
【００１２】
具体的には、第１の発明では、内部に第１基板を有する表示部が設けられた第１の筐体と、内部に第２基板を有する第２の筐体と、該第１の筐体と第２の筐体とを折畳み開閉自在に連結するヒンジ部とを備え、
上記表示部は、第１の筐体に支持機構を介して、縦長状態と横長状態とに切換操作可能に支持された携帯機器を対象とする。
【００１３】
そして、上記第１基板と第２基板とは、伝導性のある導体を絶縁体で覆った複数の細い電線で構成された信号線で接続されており、
上記信号線は、上記切換操作中に動く第１基板側の可動部で上記複数の細い電線が２つに分かれてそれぞれ束ねられている。
【００１４】
上記の構成によると、信号線における切換操作中に動く表示部側の可動部は、２本に束ねられているので、１本に束ねた場合に比べてそれぞれ曲げ剛性が低下してたわみ易いことから、切換操作を阻害せず、また、それぞれ束ねていることで切換操作中に他の部品に引っ掛かりにくいので、信号線が傷つきにくい。一方、切換操作時に動かない第１の筐体に固定される部分の信号線は、２本に束ねる場合に比べて電線が広がり易く、その高さが低くなり、第１の筐体の厚みを薄くすることができる。
【００１５】
第２の発明では、第１の発明において、
上記支持機構は、第１の筐体に設けられ左右方向に延びる中凸状に湾曲した曲線状の左右方向ガイド溝と、第１の筐体に設けられ上下方向に延びる上下方向ガイド溝と、表示部の背面に設けられ上記左右方向ガイド溝にスライド自在に係合する第１ガイドピンと、表示部の背面に設けられ上記上下方向ガイド溝にスライド自在に係合する第２ガイドピンとを備え、
上記第１の筐体は、上記ヒンジ部の一部を構成する金属製の第１の筐体本体と、該第１の筐体本体に固定され、上記左右方向ガイド溝と上下方向ガイド溝とが形成された板金製のガイドプレートと、該第１の筐体本体及びガイドプレートを覆う背面カバーとを備え、
上記第１の筐体本体の背面側には、上記信号線が収容される信号線配線用凹溝が上記ヒンジ部側へ伸びるように形成され、
上記信号線の可動部よりも上記第２基板側の中間部は、上記信号線配線用凹溝に収納されている。
【００１６】
上記の構成によると、表示部の切換操作の際には、表示部の第１ガイドピンが左右方向ガイド溝に係合した状態で中間で最も上方に位置するように左右方向にスライド移動するのと同時に、表示部の第２ガイドピンが上下方向ガイド溝に係合した状態で上下方向にスライド移動し、表示部が縦長状態又は横長状態に切り換えられる。また、信号線を信号線配線用凹溝に収納したときに、中間部は２本に束ねられていないので、各電線が広がってその高さが低くなり、第１の筐体本体にコンパクトかつ確実に収容される。さらに、この中間部の電線を露出させても、信号線配線用凹溝内に収まっているので、信号線が他の部材に絡んで傷ついたり、切換操作を妨げることはない。
【００１７】
第３の発明では、第２の発明において、
上記信号線のうち、２本に束ねられた部分は、それぞれ絶縁テープによって覆われている。
【００１８】
上記の構成によると、可動部が絶縁テープによって堅固に束ねられるので、傷つきにくく、かつ意図しないところに接地するのが避けられる。
【００１９】
第４の発明では、第３の発明において、
上記信号線のうち、２本に束ねられた一方は、他方に比べて全長が長くなっている。
【００２０】
上記の構成によると、信号線の２本に束ねられた湾曲させて設けたときに、外周側の部分を内周側の部分よりも長くすることで、２本に束ねられた部分がそれぞれ表示部の切換操作の際に移動し易くなる。
【００２１】
第５の発明では、第２乃至第４のいずれか１つの発明において、
上記信号線の中間部の外周が、複数の導線をメッシュ状に編んだグランド線で覆われている。
【００２２】
上記の構成によると、メッシュ状に編んだグランド線を信号線配線用凹溝等に接地することによって、第１基板と第２基板との間のグランド電位差をなくすための十分な容量が実現される。さらに、電線が露出した中間部を、複数の導線をメッシュ状に編んだグランド線で覆っているので、その高さは最小限に保たれ、柔軟性も備えると共に、傷つきにくくノイズ発生も防止される。
【００２３】
第６の発明では、第５の発明において、
上記グランド線を構成する各導線は、樹脂製の糸を銅箔で覆ったものよりなる。
【００２４】
上記の構成によると、伝導性が高く、かつ柔軟性のあるグランド線が得られる。
【００２５】
第７の発明では、第５又は第６の発明において、
上記ヒンジ部の軸方向中心には、貫通孔が設けられ、
上記グランド線で覆われた部分は、上記貫通孔内を通過している。
【００２６】
上記の構成によると、グランド線で覆われた中間部は、折畳み開閉動作時に最も動きの少ないヒンジ部の貫通孔内を通過しているので、グランド線がねじれたり、摩耗したりするのが防止される。また、貫通孔内でグランド線を接地させることも可能である。
【００２７】
第８の発明では、第５乃至第７のいずれか１つの発明において、
上記グランド線の一端は、上記第２基板２６に接地され、他端は、先端がまとめてかしめられ、導電性のある布状テープで上記信号線３０に貼り付けられている。
【００２８】
上記の構成によると、先端をかしめることでグランド線が解きにくくなり、また、導電性のある布状テープで覆うことで布状テープを介してグランド線を接地し易くなる。
【００２９】
第９の発明では、第８の発明において、
上記信号線配線用凹溝と上記上下方向ガイド溝の周縁との間には、上方が開口された信号線配線用開口が形成されている。
【００３０】
上記の構成によると、信号線配線用凹溝から伸びる信号線を信号線配線用開口の上方から支持機構の近傍を通って表示部側へ通すことができるので、信号線は第１基板と第２基板との間で接続されたまま、容易に信号線配線用凹溝に収容される。
【００３１】
第１０の発明では、第９の発明において、
上記背面カバーの上記信号線配線用開口に対応する領域には、導電性のある導電性シートが導電性のある導電性両面テープによって該背面カバーに貼り付けられ、
上記背面カバーで上記第１の筐体本体を覆ったときに、上記信号線の布状テープが上記導電性両面テープを介して上記導電性シートに接着固定され、
上記導電性シートは、上記信号線配線用開口を跨いで上記ガイドプレートに接地されている。
【００３２】
上記の構成によると、グランド線の先端が導電性両面テープによって背面カバーに固定されることで、信号線の位置決めがされ、切換操作時に信号線が動くのが防止される。また、グランド線の先端が導電性両面テープを介して導電性シートに接地されると共に、導電性シートが信号線配線用開口を跨いで上記ガイドプレートに接地することにより、グランド線が導電性シートを介して確実にガイドプレートに接地されるので、第１基板と第２基板との間の電位差が確実に小さくなる。
【００３３】
第１１の発明では、第１０の発明において、
上記導電性シートの背面カバー側には、導電性シートをガイドプレートに押し付けるためのスポンジが貼り付けられている。
【００３４】
上記の構成によると、背面カバーで第１の筐体本体及びガイドプレートを覆ったときに、スポンジを押圧しながら導電性シートが確実にガイドプレートに接地される。このため、第１基板と第２基板との間の電位差がさらに確実に小さくなる。
【００３５】
第１２の発明では、第１０又は第１１の発明において、
上記導電性両面テープは、導電化した繊維の両面に導電性感圧型粘着材が塗布されたものよりなる。
【００３６】
上記の構成によると、フレキシブルな導電性のある導電性両面テープが得られる。
【００３７】
第１３の発明では、第１乃至第１２のいずれか１つの発明において、
携帯通信機器とする。
【００３８】
上記の構成によると、コンパクトで表示部の切換操作が容易な携帯通信機器が得られる。
【００３９】
第１４の発明では、第１３の発明において、携帯通信機器は携帯電話機とする。
【００４０】
上記の構成によると、多機能で使用頻度の高い携帯電話機が、コンパクトで耐久性が高く、横長又は縦長状態の切換が容易なものとなる。
【発明の効果】
【００４１】
以上説明したように、本発明によれば、表示部の切換操作中に動く第１基板側の信号線の可動部で複数の細い電線を２つに分けてそれぞれ束ねたことにより、信号線が表示部の切換操作によって切断したり、切換操作を妨げたりすることなく、第１の筐体の厚さを薄くしてコンパクトで表示部の縦横切換操作が容易な携帯機器を提供することができる。
【発明を実施するための最良の形態】
【００４２】
以下、本発明の実施形態を図面に基づいて説明する。
【００４３】
図１は、開いた状態で液晶表示部が縦長状態における携帯電話機を示す斜視図である。図２は、開いた状態で液晶表示部が横長状態のときの携帯電話機を示す斜視図である。
【００４４】
本実施形態の携帯機器（携帯通信機器）としての携帯電話機１は、表面に表示部としての液晶表示部２が設けられた第１の筐体３と、表面に操作部４を有する第２の筐体５と、これら第１の筐体３と第２の筐体５とを折畳み開閉自在に連結するヒンジ部６とを備えている。このことで、携帯電話機１は、折畳み状態又は開き状態の２通りの状態に折畳み開閉自在となっている。また、図１のように液晶表示部２を縦長状態又は、図２のように横長状態に切換操作可能となっている。
【００４５】
上記第２の筐体５の操作部４には、複数の操作キー７が設けられている。この操作キー７は、携帯電話機１全体を縦長に持ったときにキー入力できるように配置され、かつその表面に表示が付されている。この操作キー７を操作することで、携帯電話機１の多数の機能が利用されるようになっている。また、第２の筐体５には、会話用のマイク部９が設けられている。詳しく図示しないが、操作キー７の背面側に第２基板２６が設けられている。
【００４６】
上記液晶表示部２は、縦長状態における下端部が直線状に形成され、液晶表示部２の表面の大部分を占めるように、矩形状の液晶ディスプレイ２ａが設けられている。液晶ディスプレイ２ａの背面に第１基板２５が配設されている。液晶表示部２が縦長状態における上端側に会話用のスピーカ部８が設けられている。なお、液晶表示部２の各角部は下端側コーナー部２ｂを含め、デザイン上又は安全上の観点等から丸面取りされている。なお、図３に示すように、この液晶表示部２の背面上側には、時間などが表示される背面液晶１１が設けられ、折畳み状態において時間などが見られるようになっている。
【００４７】
上記液晶表示部２及び操作部４は、第１の筐体３を第２の筐体５に対して折畳み状態から開いたときに現出するように構成されている。したがって、この携帯電話機１では、液晶表示部２が縦長状態と横長状態とのいずれにおいても、ユーザは液晶表示部２の液晶ディスプレイ２ａを見ながら同じ縦状態の配置の操作部４の操作キー７を操作できるようになっている。
【００４８】
図３及び図４に示すように、上記第１の筐体３には、略矩形板状の液晶表示部２を縦長状態又は横長状態に切換操作可能に支持する支持機構としてのカム機構１０が設けられている。第１の筐体３は、下端部の一方に上記ヒンジ部６の軸部６ａが挿通され、他方に水平挿通孔６ｂが形成されたボス部３ａを有する第１の筐体本体３ｂと、この第１の筐体本体３ｂを覆う矩形皿状の背面カバー３ｃと、ガイドプレート１６とを備えている。第１の筐体本体３ｂは、金属成型品であるマグネシウム合金等の鋳造フレームよりなる。第１の筐体本体３ｂの背面から見て右上側には、カム用開口３ｄが開口されている。
【００４９】
図４に示すように、上記カム機構１０は、第１の筐体３に設けられ左右方向に延びかつ中凸状に湾曲した曲線状の左右方向ガイド溝１２と、第１の筐体３に設けられ上下方向に延びる上下方向ガイド溝１４と、液晶表示部２の背面に設けられ上記左右方向ガイド溝１２にスライド自在に係合する第１ガイドピン１３と、液晶表示部２の背面に設けられ上記上下方向ガイド溝１４にスライド自在に係合する第２ガイドピン１５とを備えている。
【００５０】
すなわち、上記左右方向ガイド溝１２と上下方向ガイド溝１４とは、上記第１の筐体本体３ｂに固定されるガイドプレート１６に形成されている。ガイドプレート１６は、ステンレス鋼などの板金で構成されている。左右方向ガイド溝１２は、中凸状に湾曲した曲線状開口で構成され、携帯電話機１を背面から見たときに、その中心部が第１の筐体３の右側にオフセットして配置されている。上下方向ガイド溝１４は、左右方向ガイド溝１２の中凸形状の最上部近傍の上側にヒンジ部６の軸方向に対して傾斜して設けられた開口の周縁部よりなる。両ガイド溝１２，１４の液晶表示部２と反対側の面の開口周縁には、その他の部分よりも低くなった段差部１２ａ，１４ａが形成されている。このガイドプレート１６は、第１の筐体３の厚さ方向中間部に位置するように、その貫通孔１６ａにビス１７（図６に示す）を挿通して締結するなどにより、第１の筐体本体３ｂに固定されている。このように、従来の液晶表示部に対して垂直に設けた支持軸に相当する第２ガイドピン１５は、携帯電話機１の背面から見て第１の筐体３右上側に位置するようにオフセットして設けられている。なお、上下方向ガイド溝１４は、ヒンジ部６の軸方向に対して垂直に設けてもよいし、直線状であっても曲線状であってもよい。
【００５１】
一方、上記液晶表示部２の背面には、金属製のリンク部材１８が装着されている。詳しくは図示しないが、このリンク部材１８は、液晶表示部２の背面に締結又は位置決めするための貫通孔１８ａが設けられた板状の取付部１８ｂと、この取付部１８ｂから側面視Ｌ字状に連続する先端部とを有している。上記第１ガイドピン１３は、リンク部材１８の一端側、すなわち、取付部１８ｂの先端に第１の筐体３側へ垂直に延びるように設けられている。上記第２ガイドピン１５は、上記リンク部材１８の他端側、すなわち、先端部の端部に第１の筐体３側へ垂直に延びるように設けられている。これらのガイドピン１３，１５の先端に円形のスライド部１３ａ，１５ａが形成されている。このスライド部１３ａ，１５ａが上記段差部１２ａ，１４ａ上をそれぞれ摺動するようになっている。このことで、ガイドピン１３，１５がガイド溝１２，１４から抜け止めされ、液晶表示部２が第１の筐体３から外れないようにスライド自在に係合するようになっている。
【００５２】
図６に示すように、上記ガイドプレート１６の下側には、バネ固定ピン１９が液晶表示部２側へ垂直に延びるように設けられている。このバネ固定ピン１９には、ねじりコイルバネ（図示省略）が固定されている。このねじりコイルバネの両端部はリング状に形成され、その一端が上記第１ガイドピン１３の外周に回転可能に嵌められ、他端がバネ固定ピン１９外周に回転可能に嵌められている。このことで、ねじりコイルバネは、バネ固定ピン１９を中心に左右に揺動可能に支持され、その弾性力により、液晶表示部２が縦長状態から横長状態となるのを付勢し、かつ縦長状態から横長状態となるのを付勢するように配置されている。具体的には、第１ガイドピン１３がバネ固定ピン１９に最も近付いたとき（第２ガイドピン１５が上下方向ガイド溝１４の上端に位置したとき）の近傍において、ねじりコイルバネは最大たわみ角となり、そこから第１ガイドピン１３が左右いずれかの方向にずれることで、液晶表示部２が縦長状態又は横長状態となるように付勢するようになっている。なお、図６において、両側のボス部３ａに挟まれたヒンジ部６部分の上側は、装飾用カバー６ｃで覆われている。
【００５３】
上記左右方向ガイド溝１２と上下方向ガイド溝１４と第１ガイドピン１３と第２ガイドピン１５とねじりコイルバネとは、ユニット組立可能に構成され、このユニット組立されたカム機構１０は、ガイドプレート１６を第１の筐体本体３ｂに取り付けることで、第１の筐体３に取り付けられるようになっている。このカム機構１０の可動部であるガイドピン１３，１５及びねじりコイルバネは、上記第１の筐体のカム用開口３ｄ内を移動するようになっている。
【００５４】
図７に示すように、信号線３０は、その一端が第２の筐体５側の第２基板２６に接続され、他端が上記ヒンジ部６の水平挿通孔６ｂを通って液晶ディスプレイ２ａ裏側の第１基板２５に接続されることで、液晶表示部２と第２の筐体５とを電気的に接続するようになっている。
【００５５】
上記信号線３０は、複数の細い電線３１で構成されている。各電線３１は、例えば、図８に拡大して示すように、銀メッキ銅合金線よりなる導体３１ａと、この導体３１ａを覆う絶縁体３１ｂと、この絶縁体３１ｂを覆う錫メッキ銅合金線よりなる遮蔽層３１ｃと、この遮蔽層３１ｃを覆う外被層３１ｄとからなる。
【００５６】
図９に示すように、各電線３１の各端部は、第１基板２５側の第１コネクタ３２と、第２基板２６側の第２コネクタ３３とに接続されている。
【００５７】
図１０に示すように、信号線３０は、上記液晶表示部２の切換操作中に動く第１基板２５側の可動部３０ａにおいて、複数の細い電線３１が２つに分かれてそれぞれ束ねられている。なお、本実施形態では、図４に示すように、可動部３０ａのうち、湾曲して配線したときに外側となる側の全長を内側となる側の全長よりも若干長くしている。また、可動部３０ａと反対側（第２基板２６側）の基端部３０ｃは、１つに束ねられている。いずれも絶縁テープ３５によって外周が覆われている。
【００５８】
上記信号線３０の可動部３０ａと基端部３０ｃとの間にある中間部３０ｂは、絶縁テープ３５によって覆われず、電線３１がむき出しの状態となっている。つまり、押し付けると、容易に平らに広がるようになっている。
【００５９】
図１１に示すように、この中間部３０ｂ及び基端部３０ｃの外周が、複数の導線をメッシュ状に編んだグランド線３６で覆われている。
【００６０】
このグランド線３６は、信号線３０の第２コネクタ３３側となる部分に、グランド端子３７が形成されている。また、図１２に示すように、反対側の信号線３０の第１コネクタ３２側となる部分に、各導線が解けないようにかしめられたかしめ部３８が設けられている。先端をかしめることでグランド線３６が解きにくくなっている。グランド線３６を構成する導線は、図示しないが、例えば、中心の太さ５０デニールのポリエステル糸と、その外周を覆った銅箔とで構成されている。この構成により、導電性を備えた柔軟性のあるグランド線３６が形成されている。グランド端子３７は、第２コネクタ３３に接続され、このことで、第２基板２６に接続されるようになっている。一方、図６、図１２等に示すように、他端は、かしめ部３８が導電性のある布状テープ４２で信号線３０に貼り付けられている。このように、導電性のある布状テープ４２で覆うことでグランド線３６を接地し易くなっている。
【００６１】
図４等に示すように、第１の筐体本体３ｂにガイドプレート１６が固定された状態で、上記カム用開口３ｄを形成する端部とガイドプレート１６の上記上下方向ガイド溝の周縁との間には、上方が開口された信号線配線用開口２３が形成されている。第１の筐体本体３ｂの背面から見て左側には、信号線３０が収容される信号線配線用凹溝２４がカム用開口３ｄ側からヒンジ部６側へ伸びるように形成されている。信号線３０の可動部３０ａよりも第２基板２６側の中間部３０ｂが、この信号線配線用凹溝２４に収納されている。
【００６２】
図５に示すように、上記背面カバー３ｃの上記信号線配線用開口２３に対応する領域には、導電性のある薄い導電性シート４０が導電性のある導電性両面テープ４３によって該背面カバー３ｃに貼り付けられている。詳しくは図示しないが、導電性シート４０の背面カバー３ｃ側には、この導電性シート４０を確実にガイドプレート１６に押し付けるためのスポンジが貼り付けられている。背面カバー３ｃで第１の筐体本体３ｂ及びガイドプレート１６を覆ったときに、信号線３０の布状テープ４２が導電性両面テープ４３を介して導電性シート４０に接着固定されるようになっている。導電性シート４０は、スポンジを押圧しながら、信号線配線用開口２３を跨いでガイドプレート１６に接地されている。
【００６３】
導電性両面テープ４３は、導電化した繊維の両面に導電性感圧型粘着材が塗布されたものよりなる。このことで、フレキシブルな導電性のあるものとなっている。
【００６４】
−信号線の組み付け方法−
次に、本実施形態にかかる携帯電話の信号線３０の組み付け方法について説明する。
【００６５】
まず、図１０に示すように、信号線３０のうち、液晶表示部２の縦横切換操作中に動く第１基板２５側の可動部３０ａで複数の細い電線３１を２つに分けて絶縁テープ３５によってそれぞれ束ねる。このことで、可動部３０ａが絶縁テープ３５によって堅固に束ねられるので、傷つきにくく、かつ意図しないところに接地するのが避けられる。また、反対側の基端部３０ｃも絶縁テープ３５によって１つに束ねる。
【００６６】
次いで、図１１に示すように、中間部３０ｂ及び基端部３０ｃの外周をグランド線３６で覆う。このように、電線３１が露出した中間部３０ｂを、複数の導線をメッシュ状に編んだグランド線３６で覆っているので、電線３１が適度に広がって信号線３０の高さは最小限に保たれ、柔軟性も備えると共に、傷つきにくくノイズ発生も防止される。
【００６７】
次いで、図６及び図１２に示すように、かしめ部３８を導電性布状テープ４２で信号線３０に貼り付ける。このことで、グランド線３６を接地し易くなる。
【００６８】
次いで、このように成形された信号線３０の第２コネクタ３３をまず第２基板２６に接続する。このことで、グランド線３６のグランド端子３７も第２基板２６に接地される。
【００６９】
次いで、図６に示すように、信号線３０の第１コネクタ３２をコネクタカバー４１によって覆う。このコネクタカバー４１により、第１コネクタ３２に信号の送受信に悪影響を与える水平挿通孔６ｂ周辺のオイルが付着するのが防止される。
【００７０】
次に、コネクタカバー４１の先端を、ヒンジ部６の水平挿通孔６ｂ内に挿通させる。この際、第１コネクタ３２の後端部を押しながら、グランド線３６のたわみに注意して円弧状に動かしながら通し、引っ張り出す。グランド線３６で覆われた中間部３０ｂは、折畳み開閉動作時に最も動きの少ないヒンジ部６の水平挿通孔６ｂ内を通過しているので、グランド線３６がねじれたり、摩耗したりするのが防止される。このとき、水平挿通孔６ｂ内で第１の筐体本体３ｂに接地させることも可能である。一方、水平挿通孔６ｂ内で第１の筐体本体３ｂに接地させたくないときには、この部分を薄い絶縁テープ等で覆うとよい。
【００７１】
次いで、図７に示すように、コネクタカバー４１を外し、信号線３０の第１コネクタ３２を第１基板２５に接続する。このことで、第１基板２５と第２基板２６とが電気的に接続される。
【００７２】
次いで、液晶表示部２をカム機構１０のリンク部材１８に固定する。このとき、信号線３０を第１基板２５側へカム機構１０の近辺を通って信号線配線用開口２３の上方から通すことができるので、信号線３０は第１基板２５と第２基板２６とで接続されたまま、容易に信号線配線用凹溝２４に収容される。このため、組立作業性がよい。
【００７３】
また、信号線３０を信号線配線用凹溝２４に収納したときに、中間部３０ｂは１本又は２本に束ねられず、電線３１がグランド線３６で覆われているだけなので、各電線３１が広がってその高さが低くなり、第１の筐体本体３ｂにコンパクトかつ確実に収容される。
【００７４】
メッシュ状に編んだグランド線３６を信号線配線用凹溝２４等に接地することによって、第１基板２５と第２基板２６との間のグランド電位差をなくすための十分な容量が実現される。
【００７５】
一方、図５に示すように、背面カバー３ｃの上記信号線配線用開口２３に対応する領域に導電性シート４０を導電性両面テープ４３によって貼り付ける。
【００７６】
次いで、図３に示すように、背面カバー３ｃで第１の筐体本体３ｂ及びガイドプレート１６を覆う。このとき、布状テープ４２が導電性両面テープ４３を介して導電性シート４０に接着固定される。グランド線３６の先端が導電性両面テープ４３によって背面カバー３ｃに固定されることで、信号線３０の位置決めがされ、切換操作時に信号線３０が動くのが防止される。
【００７７】
また、グランド線３６の先端が導電性両面テープ４３を介して導電性シート４０に接地されると共に、導電性シート４０が信号線配線用開口２３を跨いでスポンジを押圧しながらガイドプレート１６に接地することにより、グランド線３６が導電性シート４０を介して確実にガイドプレート１６に接地される。このため、第１基板２５と第２基板２６との間の電位差が確実に小さくなる。
【００７８】
−作用−
このようにして信号線３０が組み付けられた携帯電話機１の液晶表示部２を切換操作した場合には、液晶表示部２の第１ガイドピン１３が左右方向ガイド溝１２に係合した状態で中間で最も上方に位置するように左右方向にスライド移動するのと同時に、液晶表示部２の第２ガイドピン１５が上下方向ガイド溝１４に係合した状態で上下方向にスライド移動し、液晶表示部２が縦長状態又は横長状態に切り換えられる。
【００７９】
このとき、信号線３０における切換操作中に動く液晶表示部２側の可動部３０ａは、２本に束ねられているので、１本に束ねた場合に比べてそれぞれ曲げ剛性が低下してたわみ易いことから、切換操作を阻害せず、また、絶縁テープ３５でそれぞれ束ねていることで切換操作中に他の部品に引っ掛かりにくいので、信号線３０が傷つきにくい。また、可動部３０ａのうち、湾曲して配線したときに外側となる側の全長を内側となる側の全長よりも若干長くしているので、それぞれ液晶表示部２の切換操作の際に移動し易い。
【００８０】
また、信号線３０の中間部３０ｂの電線３１を露出させていても、グランド線３６に覆われた状態で信号線配線用凹溝２４内に収まっているので、信号線３０が他の部材に絡んで傷ついたり、液晶表示部２の切換操作を妨げることはない。この切換操作時に動かない中間部３０ｂは、２本に束ねる場合に比べて電線３１が広がり易く、その高さが低くなり、第１の筐体３の厚みを薄くすることができる。
【００８１】
−実施形態の効果−
したがって、本実施形態にかかる携帯電話機１によると、液晶表示部２の切換操作中に動く第１基板２５側の信号線３０の可動部３０ａで複数の細い電線３１を２つに分けてそれぞれ束ねたことにより、信号線３０が液晶表示部２の切換操作によって切断したり、切換操作を妨げたりすることなく、第１の筐体３の厚さを薄くしてコンパクトで液晶表示部２の縦横切換操作が容易なものとすることができる。
【００８２】
上記実施形態によれば、信号線３０のグランド線３６を信号線配線用凹溝２４に当接させ、また、グランド線３６に導通した導電性シート４０を信号線配線用開口２３を跨いでスポンジを押圧しながらガイドプレート１６に接地させたことにより、グランド電位差をより安定させている。このため、携帯電話機１の作動誤差をより効果的に防止することができる。
【００８３】
（その他の実施形態）
本発明は、上記実施形態について、以下のような構成としてもよい。
【００８４】
上記実施形態では、カム機構１０は、液晶表示部２を表面から見て時計回りに縦長状態から横長状態に切り換えているが、反時計回りに切り換えるようにしてもよい。
【００８５】
上記実施形態では、表示部としての液晶表示部２は液晶ディスプレイ２ａを有しているとしたが、有機ＥＬディスプレイを有していてもよい。
【００８６】
上記実施形態では、携帯機器は、携帯電話機１としたが、ＰＨＳ、ＰＤＡ、通信機能を有するゲーム機等の携帯通信機器であってもよい。コンパクトで液晶表示部２の切換操作が容易な携帯通信機器が得られる。また、電子辞書、電卓、複写機等の表示部を有する携帯機器であってもよい。
【００８７】
なお、以上の実施形態は、本質的に好ましい例示であって、本発明、その適用物や用途の範囲を制限することを意図するものではない。
【産業上の利用可能性】
【００８８】
以上説明したように、本発明は、表示部が第１の筐体に支持機構を介して、縦長状態と横長状態とに切換操作可能に支持された携帯機器に関し、特にその表示部内の第１基板と第２の筐体内の第２基板とを電気的に接続する信号線を有する携帯機器について有用である。
【図面の簡単な説明】
【００８９】
【図１】開いた状態で液晶表示部が縦長状態における携帯電話機を示す斜視図である。
【図２】開いた状態で液晶表示部が横長状態のときの携帯電話機を示す斜視図である。
【図３】液晶表示部が縦長状態における携帯電話機を背面から見た分解斜視図である。
【図４】携帯電話機の背面カバーを外した状態を拡大して示す背面図である。
【図５】背面カバーの背面図である。
【図６】ヒンジ部から信号線が伸びる様子を示す分解斜視図である。
【図７】液晶表示部を第１の筐体に取り付ける前の様子を示した斜視図である。
【図８】信号線の電線を示す拡大断面図である。
【図９】信号線のコネクタ及び電線を示す平面図である。
【図１０】信号線を示す正面図である。
【図１１】グランド線で覆われた信号線を示す正面図である。
【図１２】図１１のXII−XII線断面図である。
【符号の説明】
【００９０】
１      携帯電話機（携帯機器）
２      液晶表示部（表示部）
３      第１の筐体
３ｂ    第１の筐体本体
３ｃ    背面カバー
５      第２の筐体
６      ヒンジ部
６ｂ    水平挿通孔（貫通孔）
１０      カム機構（支持機構）
１１ａ    導体
１１ｂ    絶縁体
１２      左右方向ガイド溝
１３      第１ガイドピン
１４      上下方向ガイド溝
１５      第２ガイドピン
１６      ガイドプレート
２３      信号線配線用開口
２４      信号線配線用凹溝
２５      第１基板
２６      第２基板
３０      信号線
３０ａ    可動部
３０ｂ    中間部
３１      電線
３５      絶縁テープ
３６      グランド線
４０      導電性シート
４２      布状テープ
４３      導電性両面テープ
【図１】
2008131293.tif 000003
【図２】
2008131293.tif 000004
【図３】
2008131293.tif 000005
【図４】
2008131293.tif 000006
【図５】
2008131293.tif 000007
【図６】
2008131293.tif 000008
【図７】
2008131293.tif 000009
【図８】
2008131293.tif 000010
【図９】
2008131293.tif 000011
【図１０】
2008131293.tif 000012
【図１１】
2008131293.tif 000013
【図１２】
2008131293.tif 000014